(57)【要約】【課題】  スピーカ装置の設定位置が変更されて、手等が入らずに可変ダクトの調整ができなくなっても可変ダクトの調整が可能で低音共振周波数及び該低音共振周波数以下の再生限界の周波数特性（ｆ０）を調整できるようにする。【解決手段】  スピーカキャビネット１２内に自動可変ダクト装置１４を設け、操作部２４或いはリモコン２５からのコマンドによって所定位置まで可変ダクト３４を自動的に移動させる様にして、表示部２６の画面上に移動した可変ダクト３４のダクト長を表示させる。【選択図】        図１
2005045615.tif 000002
【特許請求の範囲】
【請求項１】
スピーカキャビネット内にスピーカ及び可変可能なダクトを有するスピーカ装置において、上記ダクトを電気的に可動可能となすダクト自動可変手段と、
上記ダクト自動可変手段を制御する制御手段と、
上記少なくともダクト長を表示する表示手段と、
上記ダクト長を所定の長さに成る様に指示する操作手段と具備し、
上記スピーカ装置の設置位置に応じて上記ダクト長を可変させて成ることを特徴とするスピーカ装置。
【請求項２】
前記スピーカ装置の低音共振周波数及び該低音共振周波数以下の再生限界の周波数特性を前記操作手段で選択してなることを特徴とする請求項１記載のスピーカ装置。
【請求項３】
前記スピーカからの放音信号を収音したマイクロホンの出力を前記制御手段に供給し、
該マイクロホンの出力に基づいて、該制御手段は不揮撥性メモリのテーブルに記録した前記ダクト長データ又は低域補正パラメータデータを前記表示手段に表示してなることを特徴とする請求項１又は請求項２記載のスピーカ装置。
【請求項４】
前記操作手段は前記スピーカからの放音信号の曲の種類に応じて前記ダクト長を調整可能な切り替え手段を具備して成ることを特徴とする請求項１乃至請求項３のいずれか１項記載のスピーカ装置。
【請求項５】
スピーカキャビネット内にスピーカ及び可変可能なダクトを有するスピーカ装置のダクト可変方法に於いて、
上記ダクトを電気的に可動可能となすダクト自動可変プロセスと、
上記ダクト自動可変プロセスを制御する制御プロセスと、
上記少なくともダクト長を表示する表示プロセスと、
上記ダクト長を所定の長さに成る様に指示する操作プロセスと具備し、
上記スピーカ装置の設置位置に応じて上記ダクト長を可変させて成ることを特徴とするスピーカ装置のダクト可変方法。
【請求項６】
前記スピーカ装置の低音共振周波数及び該低音共振周波数以下の再生限界の周波数特性を前記操作プロセスで選択してなることを特徴とする請求項５記載のスピーカ装置のダクト可変方法。
【請求項７】
前記スピーカからの放音信号を収音したマイクロホンの出力を前記制御プロセスで用いる制御手段に供給し、該マイクロホンの出力に基づいて、該制御プロセスでは不揮撥性メモリのテーブルに記録した前記ダクト長データ又は低域補正パラメータデータを前記表示プロセスにて表示してなることを特徴とする請求項５又は請求項６記載のスピーカ装置のダクト可変方法。
【請求項８】
前記操作プロセスの切り替えプロセスに於いて、前記スピーカからの放音信号の曲の種類に応じて前記ダクト長を調整可変して成ることを特徴とする請求項５乃至請求項７のいずれか１項記載のスピーカ装置のダクト可変方法。
【発明の詳細な説明】
【技術分野】
【０００１】
本発明は、位相反転型スピーカ装置及びスピーカ装置のダクト可変方法に係り、特にダクトを有するバスレフレックスキャビネット（以下バスレフと記す）のダクトを自動的に可変する様にしたスピーカ装置及びスピーカ装置のダクト可変方法に関する。
【背景技術】
【０００２】
従来からバスレフ型のスピーカ装置は良く知られている。又、この様なバスレフ型のスピーカ装置に用いるダクトを手動で可変可能と成したものも特許文献１に開示されている。図６（Ａ）、（Ｂ）は特許文献１に開示されている要部の略線的断面図を示すもので１は第１の筺体２内に配置されたスピーカを示す。３は第２の筺体であり、これら第１及び第２の筺体２，３は略筒型に構成されている。第２の筺体の前面にはスピーカ１からの音を外部に放出する固定ダクト３ａを有する。
【０００３】
４は可変ダクトであつて、第２の筺体３に設けられた固定ダクト３ａの中に差し込まれ、所望の任意の位置に係止する事ができる様になっている。その固定方法の１例は図６（Ｂ）に示す様に、固定ダクト３ａの内周面に可動ダクト４の先端に形成した突起部４ａが嵌合、挿入される溝３ｃと、固定ダクト３ａの内周面の軸方向の所定位置に設けられた複数の支線溝３ｇとで構成されている。この様な構成により可変ダクト４の突起部４ａを固定ダクト３ａの溝３ｃに合わせてから可動ダクト４を固定ダクト３ａ内に挿入し、次にこれを回転させて突起部４ａを予め定められた位置にもうけられた支線溝３ｇのいずれかに嵌合させることにより、可動ダクト４を固定ダクト３ａに位置決めするようになされている。
【０００４】
上述のスピーカ装置に依れば、ダクトを手動で可変可能と成すことが出来るが、最近のバスレフ型のスピーカ装置はダクトの取り付け位置がスピーカキャビネットのバッフル板側とは限らず背面版、底面版、側面版、天板側等に配設される物がある。この様なスピーカ装置からの音をユーザが聴く場合のスピーカ装置の設置場所はユーザに依って種種の場合を考える事が出来る。例えば、壁際に置く、本棚の中に入れる、天板上に物が置かれる等の場合には、スピーカ装置を所定の位置に設定した後には可変ダクト４を手で可動させる事ができなかった。
【０００５】
又、スピーカ装置の設置位置や環境の変化、例えば、部屋の模様替え、壁の遠近、カーテン等の材質の差違により予め設定したダクトの可変位置では充分な低音共振周波数及び該低音共振周波数以下の再生限界の周波数特性（以下ｆ０と記す）を得ることができなかった。
【０００６】
更に、ユーザの音楽ソースの種類や曲目の好みに合わせてｆ０位置を調整してイコライザ特性を可変することができなかった。
【特許文献１】特表平９−７４５９５号公報（第４頁左欄）
【発明の開示】
【発明が解決しようとする課題】
【０００７】
本発明は、上述の課題を解決するためになされたもので、発明が解決しようとする課題は、スピーカ装置の設置位置や環境の変化に応じて可変ダクトを自動的に可変可能となし、ユーザの音楽ソースの種類や曲目の好みに合わせてｆ０位置を調整することが可能なスピーカ装置及びスピーカ装置のダクト可変方法を得ることを目的とする。
【課題を解決するための手段】
【０００８】
上記課題を解決し、本発明の目的を達成するため、第１の本発明は、スピーカ装置の設置位置に応じてダクト長を自動的に可変させて成ることを特徴とする。
【０００９】
第２の本発明のスピーカ装置は、スピーカキャビネット内にスピーカ及び可変可能なダクトを有するスピーカ装置に於いて、ダクトを電気的に可動可能となすダクト自動可変手段と、ダクト自動可変手段を制御する制御手段と、少なくともダクト長を表示する表示手段と、ダクト長を所定の長さに成る様に指示する操作手段と具備しスピーカ装置の設置位置に応じてダクト長を可変させて成ることを特徴とする。
【００１０】
第３の本発明のスピーカ装置のダクト可変方法は、スピーカキャビネット内にスピーカ及び可変可能なダクトを有するスピーカ装置のダクト可変方法に於いて、ダクトを電気的に可動可能となすダクト自動可変プロセスと、ダクト自動可変プロセスを制御する制御プロセスと、少なくともダクト長を表示する表示プロセスと、上記ダクト長を所定の長さに成る様に指示する操作プロセスと有し、スピーカ装置の設置位置に応じてダクト長を可変させて成ることを特徴とする。
【発明の効果】
【００１１】
本発明の第１のスピーカ装置によると、スピーカ装置の設置位置や環境の変化に応じて可変ダクトを自動的に可変可能となすことが出来るので、スピーカ装置の所定位置への設定後も可変ダクトの調整を行うことが出来る。
【００１２】
本発明の第２及び第３のスピーカ装置及びスピーカ装置のダクト可変方法によると、スピーカ装置の設置位置や環境の変化に応じて可変ダクトを自動的に可変可能となしたので
ユーザの音楽ソースの種類や曲目の好みに合わせてｆ０位置を調整することが可能なスピーカ装置及びスピーカ装置のダクト可変方法を得ることができる。
【発明を実施するための最良の形態】
【００１３】
以下、本発明の１形態例を図１乃至図５によって詳記する。図１は本発明の１形態例の系統図、図２は本発明に用いるスピーカ装置の背面図、図３は本発明に用いるダクトの駆動機構の正面図、図４は本発明に用いるダクトの駆動機構の側断面図、図５は、本発明の周波数特性曲線の説明図である。
【００１４】
図１に於いて、１０は全体としてスピーカ装置の回路図を示すもので、スピーカ１１はスピーカキャビネット１２内のバッフル板１３に固定され、該バッフル板１３に穿った放音孔を介して音響信号を放音する。スピーカキャビネット１２内にはバスレフを構成する自動可変ダクト装置１４が配設される。この自動可変ダクト装置１４については図２乃至図４により後述する。スピーカ１１にはＣＤプレーヤ等の音楽ソースを介して入力端子１５から所定の音響信号が供給される。これら信号は切り替え用のスイッチ１６の固定接点ｂ及び可動接点ａを介して低域補償回路１７に供給される。
【００１５】
低域補償回路１７はパワーアンプ１８に接続され、このパワーアンプ１８はスピーカ１１に接続されている。２０はＭＰＵを含む制御回路（以下ＣＰＵと記す）であり、インターフェース１９ａ，１９ｂを介して各種回路とデータの授受を行うように成される。インターフェース１９ａはデジタル−アナログ変換回路（以下ＡＤＣと記す）２１を介してスイッチ１６の固定接点ｃに接続され、後述するも自動調整用のテスト信号をスピーカ１１に供給する。インターフェース１９ａは更に低域補償回路１７，自動可変ダクト装置１４の駆動用のモータＭやロータリエンコーダ６２の可変抵抗器ＶＲを制御する。スピーカ１２の前方にはマイクロホン２２が配設され、このマイクロホン２２で収音したテスト信号はアナログ−デジタル変換回路(以下ＡＤＣと記す)２３を介してインターフェース１９ａに供給されている。
【００１６】
ＣＰＵ２０はインターフェース１９ｂを介して入力回路を構成する操作部２４やリモートコントローラ(以下リモコンと記す)２５の指令信号を受信する赤外線センサ３０及び出力回路を構成するＬＣＤ(液晶表示装置)等の表示部２６に接続されている。更に、イコライザ回路２７、ＣＰＵ２０のワーク用ＲＡＭやＲＯＭ及びダクト長データや低域補正パラメータデータを記憶したテーブルを有する不揮撥性メモリ２９に接続されている。
【００１７】
次に、図２乃至図４を用いてスピーカキャビネット１２内に配設された自動可変ダクト装置１４について説明する。本例のスピーカキャビネット１２内には図２に示す様にバッフル板１３に取り付けられたスピーカ１１とは反対側の背面板３１の下端部に穿ったダクト孔３２内に可変ダクト３4を摺動可能に挿入させる。図２に於いて３３は背面板３１に固定されたスピーカ１１用の入力端子である。
【００１８】
図３はバッフル板１３に自動可変ダクト装置１４を固定した状態を示す背面版を取り除いた平面図、図４は図３のＡ−Ａ断面矢視図であり、自動可変ダクト装置１４は図３及び図４に示す様に略長方形状に形成したベース基板３５を所定の方法によってスピーカキャビネット１２のバッフル板１３内の下方位置に固定する。このベース基板３５上には円盤状の基板３７が固定されている。ベース基板３５上にビスなどで固定された円盤状の基盤３７の中心に穿った透孔３８内に略円筒状の固定ダクト３６の外径を挿入立設させる。この固定ダクト３６はベース基板３５及びバッフル板１３に穿った透孔３９内まで挿入立設させる様にしても良い。この場合、固定ダクト３６の内径内に封止板４０を挿入可能にするか、封止板４０付の固定ダクト３６と一体に形成すればよい。
【００１９】
固定ダクト３６の外径は先端方向に向かって、先端が順次細くなるようになされ、この固定ダクト３６の外径には螺旋形成ダクト４２が嵌挿され、固定ダクト３６の外径部に形成した溝部４３内に螺旋形成ダクト４２の下部内径に設けられた凸状部４４を回動可能に嵌挿する。螺旋形成ダクト４２には螺旋溝４５が形成され、この螺旋溝４５のピッチにより可変ダクト３４の可動量が定められる。螺旋形成ダクト４２の外径には可変ダクト３４が嵌挿され、この可変ダクト３４の内径に形成した案内凸部４６を該螺旋形成ダクト４２の螺旋溝４５内に挿入して、可変ダクト３４を図４に於いて、回転させて矢印Ｂ−Ｂ方向に移動可能にされている。
【００２０】
上述の可変ダクト３４をモータ等で自動的に摺動可能となすために、モータＭの軸に嵌合させたプーリ４６と、ベース基板３５に立設した軸４８に回動自在に嵌挿させたプーリ４９間にベルト４７を架張し、第１の平歯車５０とプーリ４９を一体に構成し、軸５１に回動自在に嵌挿させた第２の平歯車５３及び第３の平歯車５４から成る第２の平歯車５３と第１の平歯車５０を噛み合わせ、軸５２に回動自在に嵌挿させた第４の平歯車５５及び第５の平歯車５６から成る第４の平歯車５５と第３の平歯車５４を噛み合わせる。又、螺旋形成ダクト４２の外径部には平歯車から成る可動歯車５７が固定されていて、この可動歯車５７と第５の平歯車５６が噛み合わされている。
【００２１】
更に、ベース基板３５上にガイド支柱５８Ａ及び５８Ｂを図３のように２本立設し、可動ダクト３２に固定した略長方形状の板材からなるガイド板５９に形成した案内溝６０内にガイド支柱５８Ａ，５８Ｂが挿入されている。
【００２２】
上述の構成でモータＭを例えば、操作部２４のマニアル釦等を押圧することで駆動させれば、モータＭの回転力はプーリ４６−ベルト４７−プーリ４９−第１の平歯車５０−第２の平歯車５３−第３の平歯車５４−第４の平歯車５５−第５の平歯車５６−可動歯車５７の経路を介して螺旋形成ダクト４２に伝達された駆動力は、この螺旋形成ダクト４２を回転させることで螺旋溝４５内に挿入された可変ダクト３４の案内凸部４６は螺旋溝４５に沿ってＢ−Ｂ方向に移動することで可変ダクト３４のダクト孔３２からの突出長を調整することが出来る。更に、可動歯車５７には平歯車を回動軸に固定したロータリエンコーダ６２が噛み合っている
【００２３】
上述の構成における１形態の動作を図1に基づき説明する。先ず、ユーザがスピーカ装置１０を部屋等の所定の位置に配置して、所定のダクト長データ或いは低域補正パラメータデータを不揮撥性メモリ２９から読み出して、音楽等を聴いている状態からスピーカ装置の位置を壁際等に変更した場合に可変ダクト長を変えた場合を想定する。この場合ユーザは操作部２４又はリモコン２５内のオート、マニアル釦を押圧する。オート操作の場合で説明すると、Ｉ／Ｆ１９ｂを介してＣＰＵ２０に供給されたコマンドデータに依ってＣＰＵ２０はＩ／Ｆ１９ａを介してＣＰＵ２０内の雑音発生器等からのピンク雑音をＤＡＣ２１に供給して、アナログ信号に変換し、スイッチ１６の固定接点ｃ―可動接点ａ―低域補正回路１７−パワーアンプ１８−スピーカ１１の経路で放音されたテスト信号をマイクロホン２２で収音する。マイクロホン２２からの出力はＤＡＣ２３でデジタルデータと成されＩ／Ｆ１９ａに供給されてＣＰＵ２０に入力される。
【００２４】
ＣＰＵ２０は予め不揮撥性メモリ２９内に記憶させておいた、テストデータ対ダクト長データ及びテストデータ対低域補正パラメータデータに基づいて比較、或いは演算が行われ、この比較データ或いは演算データによりＩ／Ｆ１９ａを介して自動可変ダクト装置１４のモータＭを駆動する。上記したモータＭからの回転力は平歯車群からなる伝達機構を介して可変ダクト３４をＢ−Ｂ方向に移動させる、ＣＰＵ２０はロータリエンコーダ６２の可変抵抗値ＶＲに基づきダクト長及び低域補正パラメータデータを求めて表示部２６にこれらの値を表示すると共にモータＭの駆動を停止して所定長のダクト位置に伸縮させる。
【００２５】
又、マニアル操作の場合には、ユーザのマニアル釦の操作によってダクト長又は／及び低域補正パラメータデータの調整を行うことが出来る。可変ダクト長を変える時には、ユーザは操作部２４又はリモコン２５内のマニアル釦を押圧する。ＣＰＵ２０の制御信号はＩ／Ｆ１９ａを介して入力端子１５に供給される音楽ソースをスイッチ１６の固定接点ｂ−可動接点ａ−低域補正回路１７−パワーアンプ１８−スピーカ１１の経路で音響信号をスピーカ１２から放音する。この放音された音響信号に基づきユーザはダクト長を好みの長さに調整する為にダクト釦を押圧するとＣＰＵ２０はＩ／Ｆ１９ｂ−ＣＰＵ２０−Ｉ／Ｆ１９ａ−モータＭの経路で可変ダクト３４を伸縮させる。低域補正パラメータについてもダクト長の調整と同様のマニアル操作釦の押圧と低域補正釦の押圧によって調整を行うことが出来る。勿論、これらのダクト長データ及び低域補正パラメータは表示部２７に表示される。
【００２６】
次に、上述の構成によるスピーカ装置の低音共振周波数及び該低音共振周波数以下の再生限界の周波数特性（ｆ０）を得る方法を図５（Ａ）（Ｂ）によって説明する。図５（Ａ）Ｂ）はｆ０の調整状態を説明する為のｆ０近傍の周波数特性曲線を示すものであり、横軸は周波数を、縦軸はレベルを示すものである。先ずｆ０の調整について図５（Ａ）により説明する。図５（Ａ）に示す特性曲線６５はｆ０が高域側にずれている場合、特性曲線６６はｆ０の周波数以下の低域周波数が低域に延びている場合のダクト調整前の特性曲線であるが、これらの特性曲線を例えば、特性曲線６７の様に調整することでｆ０までの周波数特性曲線を平坦にすることが出来る。
【００２７】
又、図５（Ｂ）に示す特性曲線６８はｆ０が低域側にだらだらと下がっている場合、特性曲線６９はｆ０の周波数以下の低域周波数のレベルが上昇している場合のダクト調整前の特性曲線であるがこれらの特性曲線を例えば、特性曲線７０の様に特性曲線６８と特性曲線６９を合成する様に調整することでｆ０の周波数特性曲線をｆ０以下まで延ばすとともに平坦にすることが出来る。
【００２８】
更に、本発明では操作部２４のプリセット釦の中の音楽ソースの種類Ａ，Ｂ，Ｃ，に応じてイコライザ回路２７のイコライザ特性を自動的に調整することが出来るので、音楽の曲目に合ったソース別のイコライザ特性にすることができる。例えば、オート釦による調整値とユーサの好みのプリセット値（例えばＢ）のプリセット釦の選択によって音響信号に対応した所定のグラフィックイコライザ特性を得ることが可能となる。
【図面の簡単な説明】
【００２９】
【図１】本発明のスピーカ装置及びスピーカ装置のダクト可変方法の１形態例を示す系統図である。
【図２】本発明に用いるスピーカ装置の１形態例を示す背面図である。
【図３】本発明に用いるダクトの駆動機構の１形態例を示す正面である。
【図４】本発明に用いるダクトの駆動機構の１形態例を示す側断面図である。
【図５】本発明の周波数特性曲線の説明図である。
【図６】従来のスピーカ装置の要部の側断面図である。
【符号の説明】
【００３０】
１０  スピーカ装置
１１  スピーカ
１４  自動可変ダクト装置
１７  低域補正回路
２０  制御回路（ＣＰＵ）
２２  マイクロホン
２３  ＡＤＣ
２４  操作部
２５  リモコン
２７  イコライザ回路
２９  不揮撥性メモリ
３２  可変ダクト
３６  固定ダクト
【図１】
2005045615.tif 000003
【図２】
2005045615.tif 000004
【図３】
2005045615.tif 000005
【図４】
2005045615.tif 000006
【図５】
2005045615.tif 000007
【図６】
2005045615.tif 000008